(57)【要約】【課題】照明用灯具において、その光源の長寿命化を図った上で灯具のコンパクト化を図る。【解決手段】灯具前後方向に延びる光軸Ａｘの周囲に３つの前向き半導体発光素子１２を周方向に等間隔で配置し、その灯具前方側でかつ光軸Ａｘに関して周方向に半ピッチずれた位置に３つの後向き半導体発光素子１４を配置する。リフレクタ１６の反射面は、各前向き半導体発光素子１２からの光を径方向外方へ各々反射させる３つの第１小反射面１８ａと、その反射光を灯具前方へ向けて各々反射させる３つの第２小反射面２０ａと、各後向き半導体発光素子１４からの光を径方向外方へ各々反射させる３つの第３小反射面１８ｂと、その反射光を灯具前方へ向けて各々反射させる３つの第４小反射面２０ｂとで構成する。これにより、リフレクタ１６の外径寸法を小さい値に抑えた上で第１および第３小反射面１８ａ、１８ｂのサイズを大きく確保可能とする。【選択図】          図１
2004185970.tif 000002
【特許請求の範囲】
【請求項１】
光源と、この光源からの光を灯具前方へ向けて反射させるリフレクタと、を備えてなる照明用灯具において、
上記光源が、灯具前後方向に延びる光軸の周囲において灯具前方へ向けて配置された前向き半導体発光素子と、この前向き半導体発光素子に対して灯具前方側でかつ上記光軸に関して周方向に所定角度ずれた位置において灯具後方へ向けて配置された後向き半導体発光素子とからなり、
上記リフレクタの反射面が、上記前向き半導体発光素子からの光を上記光軸に関して径方向外方へ反射させる第１小反射面と、この第１小反射面で反射した上記前向き半導体発光素子からの光を灯具前方へ向けて反射させる第２小反射面と、上記後向き半導体発光素子からの光を上記光軸に関して径方向外方へ反射させる第３小反射面と、この第３小反射面で反射した上記後向き半導体発光素子からの光を灯具前方へ向けて反射させる第４小反射面とからなる、ことを特徴とする照明用灯具。
【請求項２】
上記第１および第２小反射面が、該第２小反射面からの反射光を略平行光とするように構成されており、
上記第３および第４小反射面が、該第４小反射面からの反射光を、上記第２小反射面からの反射光と略同じ向きの略平行光とするように構成されている、ことを特徴とする請求項１記載の照明用灯具。
【請求項３】
上記前向き半導体発光素子ならびに第１および第２小反射面と、上記後向き半導体発光素子ならびに第３および第４小反射面とが、上記光軸に関して周方向に交互に複数組設けられている、ことを特徴とする請求項１または２記載の照明用灯具。
【請求項４】
上記リフレクタが、上記第１および第３小反射面を有する柱状ブロックと、上記第２および第４小反射面を有する環状ブロックとからなる、ことを特徴とする請求項１〜３いずれか記載の照明用灯具。
【請求項５】
上記柱状ブロックの前後両端面の少なくとも一方に、放熱フィンが設けられている、ことを特徴とする請求項４記載の照明用灯具。
【請求項６】
上記柱状ブロックの前端面に、灯具前方へ向けて配置された少なくとも１つの直射用半導体発光素子が設けられている、ことを特徴とする請求項４または５記載の照明用灯具。
【発明の詳細な説明】
【０００１】
【発明の属する技術分野】
本願発明は、光源からの光をリフレクタによって灯具前方へ向けて反射させるように構成された照明用灯具に関するものである。
【０００２】
【従来の技術】
航空機の客室内には、各座席毎にその上方位置に読書灯が設けられるが、この読書灯は、例えば「特許文献１」に記載されているように、光源からの光をリフレクタによって灯具前方へ向けて反射させるように構成されている。
【０００３】
一方、「特許文献２」には、発光ダイオードを光源とする車両用灯具が記載されている。この灯具においては、複数の発光ダイオードが光軸に関して互いに背中合わせで配置されており、これら各発光ダイオードの外周側に小反射面が各々配置されている。
【０００４】
【特許文献１】
米国特許第５，２２２，８０１号特許明細書
【特許文献２】
特開２００１−３３２１０４号公報
【発明が解決しようとする課題】
上記「特許文献１」に記載された航空機用読書灯は、その光源がハロゲンバルブで構成されているが、ハロゲンバルブの寿命は機体の耐用年数と比較して短いので、バルブ交換を頻繁に行う必要がある。
【０００５】
近年、高光度の発光ダイオードが開発されてきているので、「特許文献２」に記載されているように複数の発光ダイオードを光源として用いるようにすれば、所要の光束を確保した上で光源の長寿命化を図ることが可能となる。
【０００６】
しかしながら、この「特許文献２」に記載された車両用灯具においては、光軸に関して互いに背中合わせで配置された複数の発光ダイオードの外周側に複数の小反射面が配置されているので、リフレクタの外径寸法が大きくなってしまい、灯具をコンパクトに構成することができない。したがって、このような灯具構成を、灯具配設スペースが極めて限定された航空機用読書灯に適用することは困難である、という問題がある。
【０００７】
このような問題は、航空機用読書灯以外の照明用灯具においても、灯具配設スペースに制約を受ける場合には、同様に生じ得る問題である。
【０００８】
本願発明は、このような事情に鑑みてなされたものであって、光源の長寿命化を図った上で灯具のコンパクト化を図ることができる照明用灯具を提供することを目的とするものである。
【０００９】
【課題を解決するための手段】
本願発明は、光源およびリフレクタの構成に工夫を施すことにより、上記目的達成を図るようにしたものである。
【００１０】
すなわち、本願発明に係る照明用灯具は、
光源と、この光源からの光を灯具前方へ向けて反射させるリフレクタと、を備えてなる照明用灯具において、
上記光源が、灯具前後方向に延びる光軸の周囲において灯具前方へ向けて配置された前向き半導体発光素子と、この前向き半導体発光素子に対して灯具前方側でかつ上記光軸に関して周方向に所定角度ずれた位置において灯具後方へ向けて配置された後向き半導体発光素子とからなり、
上記リフレクタの反射面が、上記前向き半導体発光素子からの光を上記光軸に関して径方向外方へ反射させる第１小反射面と、この第１小反射面で反射した上記前向き半導体発光素子からの光を灯具前方へ向けて反射させる第２小反射面と、上記後向き半導体発光素子からの光を上記光軸に関して径方向外方へ反射させる第３小反射面と、この第３小反射面で反射した上記後向き半導体発光素子からの光を灯具前方へ向けて反射させる第４小反射面とからなる、ことを特徴とするものである。
【００１１】
上記「照明用灯具」は、照明用として用いられる灯具であれば、特定種類の灯具に限定されるものではなく、例えば、航空機用読書灯、車両用読書灯、車両用前照灯、店舗用スポットランプ等がこれに該当する。
【００１２】
上記「前向き半導体発光素子」は、光軸の周囲において灯具前方へ向けて配置されたものであれば、必ずしも光軸と平行な向きで配置されている必要はなく、光軸と平行な向き対して多少傾斜した向きに配置されていてもよい。同様に、上記「後向き半導体発光素子」は、光軸の周囲において灯具後方へ向けて配置されたものであれば、必ずしも光軸と平行な向きで配置されている必要はなく、光軸と平行な向き対して多少傾斜した向きに配置されていてもよい。その際、「後向き半導体発光素子」の「前向き半導体発光素子」に対する灯具前方および周方向への変位量の具体的な値は特に限定されるものではない。また、これら「前向き半導体発光素子」および「後向き半導体発光素子」を構成する半導体発光素子の種類は特に限定されるものではなく、例えば、発光ダイオードやレーザダイオード等が採用可能である。
【００１３】
上記「第１小反射面」、「第２小反射面」、「第３小反射面」および「第４小反射面」は、いずれもその外形形状や表面形状等の具体的な構成について特に限定されるものではない。
【００１４】
【発明の作用効果】
上記構成に示すように、本願発明に係る照明用灯具は、その光源が複数の半導体発光素子からなっているので、ハロゲンバルブ等を用いた場合に比して光源の長寿命化を図った上で、所要の光束を確保することが可能となる。その際、これら複数の半導体発光素子は、灯具前後方向に延びる光軸の周囲において灯具前方へ向けて配置された前向き半導体発光素子と、この前向き半導体発光素子に対して灯具前方側でかつ光軸に関して周方向に所定角度ずれた位置において灯具後方へ向けて配置された後向き半導体発光素子とからなり、また、リフレクタの反射面は、前向き半導体発光素子からの光を光軸に関して径方向外方へ反射させる第１小反射面と、この第１小反射面で反射した前向き半導体発光素子からの光を灯具前方へ向けて反射させる第２小反射面と、後向き半導体発光素子からの光を光軸に関して径方向外方へ反射させる第３小反射面と、この第３小反射面で反射した後向き半導体発光素子からの光を灯具前方へ向けて反射させる第４小反射面とからなっているので、次のような作用効果を得ることができる。
【００１５】
すなわち、複数の半導体発光素子を光軸方向の同じ位置において灯具前後方向に関して同じ向きで（すなわち灯具前方あるいは灯具後方へ向けて）配置した場合に比して、リフレクタの外径寸法を小さい値に抑えた上で第１および第３小反射面のサイズを大きく確保することができ、これによりリフレクタの配設スペースを無駄なく利用して灯具効率を高めることができる。
【００１６】
このように本願発明によれば、照明用灯具において、その光源の長寿命化を図った上で灯具のコンパクト化を図ることができる。そしてこれにより照明用灯具を航空機用読書灯等の用途に適したものとすることができる。
【００１７】
上記構成において、第１および第２小反射面を、該第２小反射面からの反射光が略平行光となるように構成するとともに、第３および第４小反射面を、該第４小反射面からの反射光が第２小反射面からの反射光と略同じ向きの略平行光となるように構成すれば、スポット状に照射される光を容易に得ることができ、これにより照明用灯具を航空機用読書灯等の用途に一層適したものとすることができる。
【００１８】
また上記構成において、前向き半導体発光素子ならびに第１および第２小反射面と、後向き半導体発光素子ならびに第３および第４小反射面とを、光軸に関して周方向に交互に複数組設けるようにすれば、照明用灯具の明るさを一層高めることができる。
【００１９】
さらに上記構成において、リフレクタを、第１および第３小反射面を有する柱状ブロックと、第２および第４小反射面を有する環状ブロックとで構成すれば、照明用灯具の組付けを容易に行うことができる。
【００２０】
この場合において、柱状ブロックの前後両端面の少なくとも一方に、放熱フィンを設けるようにすれば、前向き半導体発光素子あるいは後向き半導体発光素子として高光度の発光ダイオードを用いるようにした場合にも、該発光ダイオードから発生する熱を放熱フィンを介して外部空間に効率良く放散させることができる。
【００２１】
また、柱状ブロックの前端面に、灯具前方へ向けて配置された少なくとも１つの直射用半導体発光素子を設けるようにすれば、照明用灯具の明るさをより一層増大させることができる。
【００２２】
【発明の実施の形態】
以下、図面を用いて、本願発明の実施形態について説明する。
【００２３】
図１は、本願発明の一実施形態に係る照明用灯具１０を下向きに配置した状態で示す側断面図である。また、図２は、図１の要部詳細図であり、図３は、図２のＩＩＩ−ＩＩＩ  線矢視図である。さらに、図４は、照明用灯具１０の構成要素を分解して示す斜視図である。
【００２４】
これらの図に示すように、本実施形態に係る照明用灯具１０は、航空機の客室内において各座席の上方位置に設けられる航空機用読書灯であって、機体の内装用天井パネル２に支持リング５０を介して傾動可能に装着されるようになっている。
【００２５】
この照明用灯具１０は、光源としての３つの前向き半導体発光素子１２および３つの後向き半導体発光素子１４と、これら前向き半導体発光素子１２および後向き半導体発光素子１４からの光を灯具前方（ただし内装用天井パネル２に装着された状態では下方）へ向けて反射させるリフレクタ１６としての柱状ブロック１８および環状ブロック２０と、これらを収容するハウジング２２およびフード２４とを備えてなっている。
【００２６】
３つの前向き半導体発光素子１２および３つの後向き半導体発光素子１４は、いずれも白色発光ダイオードであって、灯具前後方向に延びる光軸Ａｘの周囲に配置されている。その際、３つの前向き半導体発光素子１２は、光軸Ａｘに関して周方向に等間隔で灯具前方へ向けて配置されており、一方、３つの後向き半導体発光素子１４は、３つの前向き半導体発光素子１２に対して灯具前方側でかつ光軸Ａｘに関して周方向に半ピッチずれた位置において、灯具後方へ向けて配置されている。
【００２７】
これら３つの前向き半導体発光素子１２および３つの後向き半導体発光素子１４は、各々共通の基板２６、２８に実装された状態で、柱状ブロック１８の後端面および前端面に取り付けられている。
【００２８】
柱状ブロック１８は、光軸Ａｘを中心軸とする略円柱状の部材であって、その外周面には３つの第１小反射面１８ａと３つの第３小反射面１８ｂとが形成されており、その後端面および前端面の中心部には各々ボス１８ｃ、１８ｄが形成されている。
【００２９】
各第１小反射面１８ａは、３つの前向き半導体発光素子１２の各々に対応する位置に形成されており、各前向き半導体発光素子１２からの光を光軸Ａｘに関して径方向外方へ反射させるようになっている。その際、これら各第１小反射面１８ａは、各前向き半導体発光素子１２の位置を焦点Ｆ１としかつ光軸Ａｘと直交する軸線を中心軸Ａｘ１とする回転放物面で構成されており、これにより各前向き半導体発光素子１２からの光を光軸Ａｘに関して径方向外方へ平行光として反射させるようになっている。
【００３０】
一方、各第３小反射面１８ｂは、３つの後向き半導体発光素子１４の各々に対応する位置に形成されており、各後向き半導体発光素子１４からの光を光軸Ａｘに関して径方向外方へ反射させるようになっている。その際、これら各第３小反射面１８ｂは、各後向き半導体発光素子１４の位置を焦点Ｆ２としかつ光軸Ａｘと直交する軸線を中心軸Ａｘ２とする回転放物面で構成されており、これにより各後向き半導体発光素子１４からの光を光軸Ａｘに関して径方向外方へ平行光として反射させるようになっている。これら各第３小反射面１８ｂを構成する回転放物面の焦点距離は、各第１小反射面１８ａを構成する回転放物面の焦点距離と同じ値に設定されている。
【００３１】
３つの前向き半導体発光素子１２を実装する基板２６は、柱状ブロック１８の後端面に形成されたボス１８ｃに嵌め込まれるようにして該後端面に当接しており、これにより各前向き半導体発光素子１２の位置を各第１小反射面１８ａの焦点Ｆ１に一致させるようになっている。
【００３２】
一方、３つの後向き半導体発光素子１４を実装する基板２８は、柱状ブロック１８の前端面に形成されたボス１８ｄに嵌め込まれるようにして該前端面に当接しており、これにより各後向き半導体発光素子１４の位置を各第３小反射面１８ｂの焦点Ｆ２に一致させるようになっている。
【００３３】
環状ブロック２０は、柱状ブロック１８を囲むように形成された光軸Ａｘを中心軸とする略ロート状の部材であって、その内周面には３つの第２小反射面２０ａと３つの第４小反射面２０ｂとが形成されている。この環状ブロック２０の後端部は円筒状小径部２０ｃとして形成されており、その前端部は円筒状大径部２０ｄとして形成されている。
【００３４】
各第２小反射面２０ａは、光軸Ａｘに関して各第１小反射面１８ａの径方向外方に形成されており、各第１小反射面１８ａで反射した各前向き半導体発光素子１２からの光を灯具前方へ向けて反射させるようになっている。その際、これら各第２小反射面２０ａは、光軸Ａｘを中心軸とする頂角９０°の円錐面で構成されており、これにより各第１小反射面１８ａからの平行反射光を光軸Ａｘに沿った略平行光として反射させるようになっている。
【００３５】
一方、各第４小反射面２０ｂは、光軸Ａｘに関して各第３小反射面１８ｂの径方向外方に形成されており、各第３小反射面１８ｂで反射した各前向き半導体発光素子１２からの光を灯具前方へ向けて反射させるようになっている。その際、これら各第４小反射面２０ｂは、光軸Ａｘを中心軸とする頂角９０°の円錐面で構成されており、これにより各第３小反射面１８ｂからの平行反射光を光軸Ａｘに沿った略平行光として反射させるようになっている。
【００３６】
柱状ブロック１８の後端面および前端面に形成された各ボス１８ｃ、１８ｄには、各々放熱フィン３０、３２を介して固定用キャップ３４、３６がネジ締め固定されている。
【００３７】
各放熱フィン３０、３２は、アルミニウム製であって、略円板状の部材の背面に複数のフィン状の突起部３０ａ、３２ａが略放射状に形成されてなっている。これら各放熱フィン３０、３２の中心部にはネジ挿通孔３０ｂ、３２ｂが形成されており、その外周縁部には環状段差部３０ｃ、３２ｃが形成されている。
【００３８】
各固定用キャップ３４、３６は、略円板状のフレーム部材３４Ａ、３６Ａと、このフレーム部材３４Ａ、３６Ａの内面の中心位置に埋め込み固定されたネジ部材３４Ｂ、３６Ｂとからなり、フレーム部材３４Ａ、３６Ａの内面側には複数のＬ字形リブ３４ａ、３６ａが放射状に形成されている。そしてこれにより、各固定用キャップ３４、３６は、そのネジ部材３４Ｂ、３６Ｂがボス１８ｃ、１８ｄにネジ締め固定された状態においても、そのフレーム部材３４Ａ、３６Ａの外周部に複数の放熱用隙間を確保するようになっている。
【００３９】
環状ブロック２０の円筒状小径部２０ｃの後端面内周部には環状段差部２０ｅが形成されており、この環状段差部２０ｅにおいて放熱フィン３０の外周縁部と係合することにより、環状ブロック２０の径方向および周方向の位置決めが行われるようになっている。
【００４０】
この環状ブロック２０の前方には、素通し状の透光プレート３８が設けられている。この透光プレート３８はリング状に形成されており、その内周縁部において放熱フィン３２の環状段差部３２ｃと固定用キャップ３６とで挟持されている。
【００４１】
ハウジング２２は、前後両端部に円形の開口部が形成された略球殻状の部材であって、その後端開口部周辺部位が放熱フィン３０の環状段差部３０ｃと固定用キャップ３４とで挟持されている。
【００４２】
フード２４は、前端部に折り返しフランジ部が形成された略円筒状の部材であって、ハウジング２２の前端開口部に前方側から内挿されるようにして該ハウジング２２にネジ締め固定されている。その際、このフード２４は、その後端面が環状ブロック２０の円筒状大径部２０ｄに当接して、該フード２４と放熱フィン３２とで環状ブロック２０を挟持するようになっている。また、このフード２４の内周面には環状段差部２４ａが形成されており、この環状段差部２４ａにおいて透光部材３８の外周縁部に前方側から当接して該透光プレート３８を支持するようになっている。
【００４３】
支持リング５０は、略球帯状の部材であって、その内周面はハウジング２２の外周面と略同じ径の球面で構成されており、その外周面には内装用天井パネル２と係合する係合部５０ａが形成されている。
【００４４】
以上詳述したように、本実施形態に係る照明用灯具１０は、その光源が複数の半導体発光素子からなっているので、ハロゲンバルブ等を用いた場合に比して光源の長寿命化を図った上で、所要の光束を確保することが可能となる。その際、これら複数の半導体発光素子は、灯具前後方向に延びる光軸Ａｘの周囲において周方向に等間隔で灯具前方へ向けて配置された３つの前向き半導体発光素子１２と、これら３つの前向き半導体発光素子１２に対して灯具前方側でかつ光軸Ａｘに関して周方向に半ピッチずれた位置において灯具後方へ向けて配置された３つの後向き半導体発光素子１４とからなり、また、リフレクタ１６の反射面は、各前向き半導体発光素子１２からの光を光軸Ａｘに関して径方向外方へ各々反射させる３つの第１小反射面１８ａと、これら各第１小反射面１８ａで反射した前向き半導体発光素子１２からの光を灯具前方へ向けて各々反射させる３つの第２小反射面２０ａと、各後向き半導体発光素子１４からの光を光軸Ａｘに関して径方向外方へ各々反射させる３つの第３小反射面１８ｂと、これら各第３小反射面１８ｂで反射した後向き半導体発光素子１４からの光を灯具前方へ向けて各々反射させる３つの第４小反射面２０ｂとからなっているので、次のような作用効果を得ることができる。
【００４５】
すなわち、６つの半導体発光素子を光軸Ａｘ方向の同じ位置において灯具前後方向に関して同じ向きで（すなわち灯具前方あるいは灯具後方へ向けて）配置した場合に比して、リフレクタ１６の外径寸法を小さい値に抑えた上で第１および第３小反射面１８ａ、１８ｂのサイズを大きく確保することができ、これによりリフレクタ１６の配設スペースを無駄なく利用して灯具効率を高めることができる。
【００４６】
このように本実施形態によれば、光源の長寿命化を図った上で照明用灯具１０のコンパクト化を図ることができ、これにより照明用灯具１０を航空機用読書灯の用途に適したものとすることができる。
【００４７】
しかも本実施形態においては、３箇所の前向き半導体発光素子１２ならびに第１および第２小反射面１８ａ、２０ａと、３箇所の後向き半導体発光素子１４ならびに第３および第４小反射面１８ｂ、２０ｂとが、光軸Ａｘに関して周方向に半ピッチずれるように配置されているので、柱状ブロック１８の前後長を最小限に抑えた上でこれらを配置することができ、これによりリフレクタ１６の前後長を小さく抑えることができる。そしてこれにより、照明用灯具１０を、その配設スペースが奥行き方向に関しても制約される航空機用読書灯の用途に一層適したものとすることができる。
【００４８】
特に本実施形態においては、第１および第２小反射面１８ａ、２０ａが、該第２小反射面２０ａからの反射光を略平行光とするように構成されており、第３および第４小反射面１８ｂ、２０ｂが、該第４小反射面２０ｂからの反射光を第２小反射面２０ａからの反射光と略同じ向きの略平行光とするように構成されているので、スポット状に照射される光を容易に得ることができ、これにより照明用灯具１０を航空機用読書灯の用途により一層適したものとすることができる。
【００４９】
また本実施形態においては、第１小反射面１８ａが、前向き半導体発光素子１２の位置を焦点Ｆ１としかつ光軸Ａｘと直交する軸線を中心軸Ａｘ１とする回転放物面で構成されるとともに、第３小反射面１８ｂが、後向き半導体発光素子１４の位置を焦点Ｆ２としかつ光軸Ａｘと直交する軸線を中心軸Ａｘ２とする回転放物面で構成されているので、第２および第４小反射面２０ｂに対して平行光を入射させることができ、これにより第２および第４小反射面２０ｂによる反射制御を容易に行うことが可能となる。
【００５０】
さらに本実施形態においては、リフレクタ１６が、第１および第３小反射面１８ａ、１８ｂを有する柱状ブロック１８と、第２および第４小反射面２０ａ、２０ｂを有する環状ブロック２０とで構成されているので、照明用灯具１０の組付けを容易に行うことができる。
【００５１】
また本実施形態においては、柱状ブロック１８の前後両端面に、各々放熱フィン３０、３２が設けられているので、前向き半導体発光素子１２および後向き半導体発光素子１４として高光度の発光ダイオードを用いるようにした場合においても、これら各発光ダイオードから発生する熱を放熱フィン３０、３２を介して外部空間に効率良く放散させることができる。
【００５２】
ところで上記実施形態においては、第２および第４小反射面２０ａ、２０ｂからの反射光がいずれも光軸Ａｘに沿った略平行光となるものとして説明したが、光軸Ａｘに対して傾斜した方向に向かう略平行光となるように構成することも可能である。
【００５３】
また上記実施形態においては、第１小反射面１８ａを構成する回転放物面と第３小反射面１８ｂを構成する回転放物面とが同一の焦点距離に設定されているものとして説明したが、これらを互いに異なった値に設定することも可能である。また、各第１小反射面１８ａ相互間あるいは各第３小反射面１８ｂ相互間で、その回転放物面の焦点距離を互いに異なった値に設定することも可能である。さらに、これら第１および第３小反射面１８ａ、１８ｂを、例えば楕円面のような回転放物面以外の曲面あるいは平面等で構成することも可能である。
【００５４】
上記実施形態においては、第２および第４小反射面２０ａ、２０ｂが、いずれも光軸Ａｘを中心軸とする円錐面で構成されているものとして説明したが、これらを例えば楕円面のような円錐面以外の曲面あるいは平面等で構成することも可能である。
【００５５】
また上記実施形態においては、透光プレート３８が素通し状に形成されているものとして説明したが、該透光プレート３８に拡散あるいは偏向機能を有するレンズ素子等を適宜形成することも可能である。
【００５６】
ところで、上記実施形態に係る照明用灯具１０は、内装用天井パネル２に対して下向きに装着されるので、柱状ブロック１８の後端面に設けられた放熱フィン３０の放熱負荷は大きなものとなるが、柱状ブロック１８の前端面に設けられた放熱フィン３２の放熱負荷はさほど大きなものとはならない。したがって、前向き半導体発光素子１２および後向き半導体発光素子１４の発熱量によっては、柱状ブロック１８の後端面に放熱フィン３０を設けるだけでも所要の放熱機能を十分に確保可能となる場合もあり得る。
【００５７】
そこで、上記実施形態の変形例として、次のような灯具構成を採用することも可能である。
【００５８】
図５は、本変形例に係る照明用灯具６０を示す、図１と同様の図である。
【００５９】
図示のように、この照明用灯具６０は、その基本的な構成については上記実施形態に係る照明用灯具１０と同様であるが、その柱状ブロック１８の前端面に、上記実施形態の放熱フィン３２の代わりに、灯具前方へ向けて配置された３つの直射用半導体発光素子６２が、これらを実装する基板６４を介して設けられている点で異なっている。
【００６０】
これに伴い、この照明用灯具６０においては、その透光プレート６６が、上記実施形態の透光プレート３８に比して内周側へ延長形成されており、３つの直射用半導体発光素子６２を灯具前方側から覆うようになっている。そして、この透光プレート６６は、小径の固定用キャップ６８によって柱状ブロック１８の前端面に形成されたボス１８ｄにネジ締め固定されるようになっている。
【００６１】
３つの直射用半導体発光素子６２は、光軸Ａｘに関して周方向に等間隔で配置されている。そして、透光プレート６６における各直射用半導体発光素子６２に対応する位置には、該直射用半導体発光素子６２からの光を灯具前方へ向かう平行光とするための凸レンズ部６６ａが形成されている。
【００６２】
本変形例のような灯具構成を採用した場合には、光源の数を増やすことができるので、照明用灯具６０の明るさをより一層増大させることができる。
【００６３】
なお本変形例においては、直射用半導体発光素子６２が３つ設けられているものとして説明したが、その数を適宜増減させるようにすれば、所望する明るさを得ることができる。
【図面の簡単な説明】
【図１】本願発明の一実施形態に係る照明用灯具を示す側断面図
【図２】図１の要部詳細図
【図３】図２のＩＩＩ−ＩＩＩ  線矢視図
【図４】上記照明用灯具の構成要素を分解して示す斜視図
【図５】上記実施形態の変形例を示す、図１と同様の図
【符号の説明】
２  内装用天井パネル
１０、６０  照明用灯具
１２  前向き半導体発光素子
１４  後向き半導体発光素子
１６  リフレクタ
１８  柱状ブロック
１８ａ  第１小反射面
１８ｂ  第３小反射面
１８ｃ、１８ｄ  ボス
２０  環状ブロック
２０ａ  第２小反射面
２０ｂ  第４小反射面
２０ｃ  円筒状小径部
２０ｄ  円筒状大径部
２０ｅ  環状段差部
２２  ハウジング
２４  フード
２４ａ  環状段差部
２６、２８  基板
３０、３２  放熱フィン
３０ａ、３２ａ  突起部
３０ｂ、３２ｂ  ネジ挿通孔
３０ｃ、３２ｃ  環状段差部
３４、３６  固定用キャップ
３４Ａ、３６Ａ  フレーム部材
３４Ｂ、３６Ｂ  ネジ部材
３４ａ、３４ｂ  Ｌ字形リブ
３８  透光プレート
５０  支持リング
５０ａ  係合部
６２  直射用半導体発光素子
６４  基板
６６  透光プレート
６６ａ  凸レンズ部
６８  固定用キャップ
Ａｘ  光軸
Ａｘ１、Ａｘ２  中心軸
Ｆ１、Ｆ２  焦点
【図１】
2004185970.tif 000003
【図２】
2004185970.tif 000004
【図３】
2004185970.tif 000005
【図４】
2004185970.tif 000006
【図５】
2004185970.tif 000007